(57)【要約】【課題】発光パネルの着脱の作業性を向上させることができる発光パネル式照明器具を提供する。【解決手段】発光パネル式照明器具１０は、表面１ａから光を放射する発光パネル１と、この発光パネル１を裏面１ｂ側から覆って収容する筐体３とを備えている。筐体３内には、発光パネル１をその表面１ａと略平行な方向に抜き挿しするための挿入口２４を有し、その挿入口２４から挿入された発光パネル１を保持する保持部材２が配設されており、この保持部材２の挿入口２４と反対側の端部は、当該保持部材２が筐体３の開口する方向に揺動可能となるように筐体３に回動自在に支持されている。【選択図】図１
2007250302.tif 000002
【特許請求の範囲】
【請求項１】
表面から光を放射する発光パネルと、この発光パネルを裏面側から覆って収容する筐体とを備え、
前記筐体内には、前記発光パネルをその表面と略平行な方向に抜き挿しするための挿入口を有し、その挿入口から挿入された発光パネルを保持する保持部材が配設されており、この保持部材の挿入口と反対側の端部は、当該保持部材が筐体の開口する方向に揺動可能となるように筐体に回動自在に支持されていることを特徴とする発光パネル式照明器具。
【請求項２】
前記保持部材の挿入口側の端部には、当該保持部材を前記筐体内で着脱可能に固定するために前記筐体に着脱可能に係合する係合部が設けられていることを特徴とする請求項１に記載の発光パネル式照明器具。
【請求項３】
前記保持部材の挿入口側の端部には、当該挿入口から挿入された発光パネルを着脱可能に係止する係止部が設けられていることを特徴とする請求項１または２に記載の発光パネル式照明器具。
【請求項４】
前記発光パネルは、端子部を有しており、
前記保持部材には、挿入口から挿入された発光パネルの端子部に対応する位置に、発光パネルに電力を供給するための給電部が設けられていることを特徴とする請求項１〜３のいずれか１項に記載の発光パネル式照明器具。
【発明の詳細な説明】
【技術分野】
【０００１】
本発明は、発光パネルを用いた発光パネル式照明器具に関するものである。
【背景技術】
【０００２】
従来、薄型ランプを筐体に収容した照明器具が知られている。例えば、特許文献１には、磁石の吸引力を利用して薄型ランプを筐体に保持させるとともに、筐体に薄型ランプを離間させるように揺動する操作部を設け、この操作部を操作することによりワンタッチで薄型ランプを取り外しできるようにした照明器具が記載されている。
【特許文献１】特開２００１−３３８７２３号公報
【発明の開示】
【発明が解決しようとする課題】
【０００３】
しかしながら、このような照明器具を天井に配設した場合には、薄型ランプの着脱の際に、薄型ランプを支えるために、高い作業台を使用する等して天井に接近する必要があり、着脱の作業性がよくなかった。
【０００４】
近年では、有機ＥＬ（Electro Luminescence）や無機ＥＬを利用した発光パネルを照明器具の光源として用いることが試みられている。このような発光パネルは、厚みが数ミリ程度と従来の薄型ランプよりもさらに薄いので、この発光パネルを用いた照明器具に前記の構造を採用した場合には、さらに天井に接近する必要がある。
【０００５】
本発明は、このような事情に鑑み、発光パネルの着脱の作業性を向上させることができる発光パネル式照明器具を提供することを目的とする。
【課題を解決するための手段】
【０００６】
前記課題を解決するために、本発明の発光パネル式照明器具は、表面から光を放射する発光パネルと、この発光パネルを裏面側から覆って収容する筐体とを備え、前記筐体内には、前記発光パネルをその表面と略平行な方向に抜き挿しするための挿入口を有し、その挿入口から挿入された発光パネルを保持する保持部材が配設されており、この保持部材の挿入口と反対側の端部は、当該保持部材が筐体の開口する方向に揺動可能となるように筐体に回動自在に支持されていることを特徴とするものである。
【０００７】
安全性を向上させるために、前記保持部材の挿入口側の端部には、当該保持部材を前記筐体内で着脱可能に固定するために前記筐体に着脱可能に係合する係合部が設けられていることが好ましい。
【０００８】
作業性をより向上させるために、前記保持部材の挿入口側の端部には、当該挿入口から挿入された発光パネルを着脱可能に係止する係止部が設けられていることが好ましい。
【０００９】
コネクタ接続するような作業を省略するために、前記発光パネルは、端子部を有しており、前記保持部材には、挿入口から挿入された発光パネルの端子部に対応する位置に、発光パネルに電力を供給するための給電部が設けられていることが好ましい。
【発明の効果】
【００１０】
本発明によれば、発光パネルを保持する保持部材の挿入口と反対側の端部を、当該保持部材が筐体の開口する方向に揺動可能となるように筐体に回動自在に支持させたから、例えば照明器具が天井に配設される場合には、保持部材を下方に揺動させれば、挿入口を低い位置に降下させることができるため、高い作業台を使用しなくても挿入口から発光パネルを抜き差しできるようになる。従って、発光パネルの着脱の作業性を向上させることができる。
【発明を実施するための最良の形態】
【００１１】
以下、本発明を実施するための最良の形態について、図面を参照しながら詳細に説明する。
【００１２】
図１に示すように、本発明の一実施形態に係る発光パネル式照明器具１０は、天井５に配設されるものであり、略水平な姿勢で表面１ａから下方に光を放射する板状の発光パネル１と、この発光パネル１を裏面１ｂ側から覆って収容する筐体３と、この筐体３内に配設されて、発光パネル１を保持する保持部材２とを備えている。なお、本発明の発光パネル式照明器具は、天井に配設されるものに限らず、例えば床面に垂直な壁面に配設されるものであってもよい。また、本実施形態では、説明の便宜のために、図１において、右側を後方、左側を前方、紙面と直交する方向のうち奥側を左方、手前側を右方という。
【００１３】
筐体３は、天井５に取り付けられるものであり、下方に開口する凹部３１と、この凹部３１の開口周縁部から外側に広がるつば部３２とを有している。この筐体３は、例えば鋼板または合成樹脂等で構成されている。
【００１４】
凹部３１は、平面視で矩形状の底壁３１ａと、この底壁３１ａの周縁部から下方に延在する矩形筒状の周壁３１ｂとからなっている。そして、底壁３１ａの下面、すなわち凹部３１の底面には、後側位置に、保持部材２を揺動可能に支持するための回動支持部３３が設けられているとともに、前側位置に、保持部材２を凹部３１内で着脱可能に固定するための被係合部３４が設けられている。
【００１５】
発光パネル１は、有機ＥＬを利用したものであり、平面視で矩形状をなしている。具体的には、発光パネル１は、図２および３に示すように、基板１１と、この基板１１の上面に積層された第１電極層１２、有機発光層１３および第２電極層１４からなる有機ＥＬ層と、第１封止部材１５および第２封止部材１６とを備えている。すなわち、基板１１の下面が発光パネル１の表面１ａを構成し、第２封止部材１６の上面が発光パネル１の裏面１ｂを構成している。
【００１６】
基板１１は、前記有機ＥＬ層を支持するための平板状の部材であり、有機発光層１３で発光する光の波長に対して透明な材料、例えばガラス等からなる。
【００１７】
第１電極層１２は、有機発光層１３で発光する光の波長に対して透明な材料からなる導電性の薄膜であり、陽極となる。第１電極層１２は、有機発光層１３が可視光を発光するので、例えばＩＴＯ（Indium Tin Oxide）等で形成される。第１電極層１２は、その一部が後方に向かって第１封止部材１５から露出するように引き出されて陽極端子部１２１を形成している。
【００１８】
有機発光層１３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層１２および第２電極層１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料からなる導電性の薄膜であり、陰極となる。第２電極層１４は、例えばアルミニウム（Ａｌ）、アルミリチウム（Ａｌ：Ｌｉ）およびマグネシウム銀（Ｍｇ：Ａｇ）等の金属や合金等で形成される。第２電極層１４は、その一部が第１電極層１２と同様に後方に向かって第１封止部材１５から露出するように引き出されて陰極端子部１４１を形成している。すなわち、陽極端子部１２１と陰極端子部１４１は、基板１１の上面の後端部で左右に並ぶように形成されている。
【００１９】
第１封止部材１５および第２封止部材１６は、基板１１と協同して有機発光層１３を気密に封止するための絶縁性の部材である。例えば接着性を有する樹脂製の第１封止部材１５が、陽極端子部１２１を除く第１電極層１２、有機発光層１３および陰極端子部１４１を除く第２電極層１４を覆うように塗布され、例えばガラス製の板状部材からなる第２封止部材１６が、第１封止部材１５を介して第２電極層１４上に載せられて圧力が加えられることによって、第２封止部材１６が第１封止部材１５によって第２電極層１４に接着されると共に、第２封止部材１６の周縁部が第１封止部材１５によって基板１１に気密に接着して接合される。これによって第１封止部材１５および第２封止部材１６は、基板１１と協同して有機発光層１３を気密に封止する。
【００２０】
保持部材２は、図４に示すように、平面視で略矩形状の天板２１と、この天板２１の左右の両端部からそれぞれ垂れ下がる一対の側板２２と、これらの側板２２の下端部から互いに対向するように内向きに突出する一対の底板２３とを有している。この保持部材２は、例えば合成樹脂等で構成されている。
【００２１】
側板２２の内側面同士の間の距離は、発光パネル１の幅寸法よりも僅かに大きく設定されているとともに、天板２１の下面と底板２３の上面との間の距離は、発光パネル１の厚みよりも僅かに大きく設定されている。このため、天板２１、側板２２、および底板２３で囲まれる空間に発光パネル１が嵌り込み可能となっている。また、前記空間は、一定の断面形状のまま前方に開口していて、その開口から発光パネル１をその表面１ａと略平行な方向に抜き挿し可能となっている。すなわち、天板２１、側板２２、および底板２３で囲まれる空間の前方の開口が、発光パネル１を抜き差しするための挿入口２４を構成している。そして、挿入口２４から挿入された発光パネル１は、底板２３に載置されることにより、保持部材２に保持される。
【００２２】
なお、底板２３の上面の後端部には、上方に突出する突出部２３ａ（図５参照）が形成されており、前記空間の後方の開口からは、発光パネル１を抜き差しできないようになっている。
【００２３】
また、天板２１の前端部（挿入口２４側の端部）には、当該挿入口２４から挿入された発光パネル１を着脱可能に係止する係止部２６が形成されている。この係止部２６は、天板２１の下面の前端部に板状の突起が設けられるとともに、その突起の両脇が切り込まれることにより形成されており、上下方向に弾性変形可能となっている。すなわち、係止部２６を上方に弾性変形させれば、発光パネル１を挿入口２４から挿入できるようになり、発光パネル１を挿入した後に係止部２６を自由にすれば、係止部２６はその復元力により元の位置に復帰して、発光パネル１に係止するようになる。
【００２４】
さらに、天板２１には、後端部の中央部が後方に張り出されて張出部２７が形成されており、この張出部２７に、発光パネル１に電力を供給するための左右一対の給電部４Ａが設けられている。これらの給電部４Ａは、挿入口２４から挿入された発光パネル１の陽極端子部１２１および陰極端子部１４１に対応する位置に設けられている。
【００２５】
具体的には、給電部４Ａは、図５に示すように、張出部２７に設けられた貫通孔２７ａに挿通されて、陽極端子部１２１または陰極端子部１４１に接触する接触子４１と、この接触子４１を上下動可能に支持するケース４２と、このケース４２内に配設され、接触子４１を下方に付勢する圧縮コイルばね４３とからなっている。なお、ケース４２は導電性材料で構成されており、このケース４２に図略の配線が接続されることにより、陽極端子部１２１および陰極端子部１４１が、接触子４１、ケース４２、および配線を介して図略の給電回路と電気的に接続されるようになっている。
【００２６】
また、各側板２２には、後端部が天板２１よりも上方に突出するように延在されて、被回動支持部２２ａが形成されている。この被回動支持部２２ａは、筐体３の回動支持部３３と枢結されることにより、保持部材２が図１（ａ）に示す水平位置と図１（ｂ）に示す垂直位置との間で上下方向に揺動可能となるように回動支持部３３に回動自在に支持されるものである。
【００２７】
また、天板２１の上面の前端部には、少し内側に入り込んだ位置に、保持部材２が水平位置に揺動したときに、筐体３の被係合部３４に係合する係合部２５が設けられている。この係合部２５は、前後方向に弾性変形可能となっており、被係合部３４に着脱可能に係合するようになっている。
【００２８】
このように構成された発光パネル式照明器具１０において、発光パネル１を交換するには、次のようにすればよい。
【００２９】
まず、図１（ａ）に示す水平位置の保持部材２に対して、図略の治具を引っ掛けて下方に無理引きすることにより、係合部２５と被係合部３４との係合状態を解除する。このとき、保持部材２と筐体３とは、図略のエアダンパーで連結されているため、保持部材２は急激に揺動せず、自重でゆっくりと下方に揺動する。
【００３０】
保持部材２が図１（ｂ）に示す垂直位置に揺動した後に、係止部２６を弾性変形させて、発光パネル１を挿入口２４から抜き出す。
【００３１】
次いで、係止部２６を指で押して弾性変形させながら、新たな発光パネル１を挿入口２４から差し込んだ後に、係止部２６から指を離して発光パネル１に係止部２６を係止させる。
【００３２】
最後に、治具で保持部材２を上方に揺動させて、係合部２５を被係合部３４に係合させればよい。
【００３３】
本実施形態の発光パネル式照明器具１０では、発光パネル１を保持する保持部材２の挿入口２４と反対側の端部を、当該保持部材２が凹部３１の開口する方向である下方に揺動可能となるように筐体３に回動自在に支持させたから、保持部材２を下方に揺動させれば、挿入口２４を低い位置に降下させることができるため、高い作業台を使用しなくても挿入口２４から発光パネル１を抜き差しできるようになる。従って、発光パネル１の着脱の作業性を向上させることができる。
【００３４】
ここで、保持部材２を凹部３１内で着脱可能に固定するには、例えば磁石を用いることも可能であるが、本実施形態のように、被係合部３４と係合部２５とで機械式に固定すれば、安全性を向上させることができる。
【００３５】
また、保持部材２の前端部に、挿入口２４から挿入された発光パネル１を係止する係止部２６を設けたから、ユーザーが保持部材２を揺動させる際に、挿入口２４を塞がなくても発光パネル１が抜け出すことがないため、作業性をより向上させることができる。また、係止部２６は発光パネル１に着脱可能に係止するものであるので、係止部２６による係止状態を解除すれば、発光パネル１を簡単に挿入口２４から抜き出すことができる。
【００３６】
さらに、保持部材２に、挿入口２４から挿入された発光パネル１の陽極端子部１２１および陰極端子部１４１に対応する位置に、発光パネル１に電力を供給するための給電部４Ａを設けたから、発光パネル１を挿入口２４から挿入するだけで陽極端子部１２１および陰極端子部１４１を給電部４Ａに接触させることができるため、コネクタ接続するような作業を省略することができる。
【００３７】
なお、前記実施形態では、係止部２６を天板２１に設けているが、図６に示す変形例の保持部材２’のように、各側板２２に設けてもよい。
【００３８】
また、給電部４Ａに代えて、図６および図７に示す変形例の給電部４Ｂを採用することも可能である。この給電部４Ｂは、側面視で釣り針状の板ばね４４で構成されている。
【００３９】
具体的には、保持部材２の張出部２７の肉厚を薄く設定して、発光パネル１との間に隙間が形成されるようにするとともに、張出部２７に、当該張出部２７を左右から切り込んでスリット２７ｂを形成する。そして、板ばね４４をスリット２７ｂに嵌め込んで固定し、板ばね４４の接点部４４ａが張出部２７と発光パネル１の間に介在するようにすればよい。
【００４０】
また、被回動支持部２２ａは、側板２２に設けられている必要はなく、天板２１の後端部に設けられていてもよい。
【００４１】
さらには、保持部材２を凹部３１内で着脱可能に固定するには、例えばインテリアラックの扉等に採用されているような一度押すとロックされ、二度押すとロックが解除される機構を採用することも可能である。
【００４２】
なお、発光パネル１は、有機ＥＬを利用したものに限らず、無機ＥＬを利用したものであってもよい。
【図面の簡単な説明】
【００４３】
【図１】本発明の一実施形態に係る発光パネル式照明器具の側面断面図であり、（ａ）は保持部材を筐体内で固定したとき、（ｂ）は保持部材を下方に揺動したときを示す。
【図２】発光パネルの平面図である。
【図３】（ａ）は図２のＩ−Ｉ線断面図、（ｂ）は図２のＩＩ−ＩＩ線断面図である。
【図４】保持部材の斜視図である。
【図５】挿入口から発光パネルが挿入されたときの保持部材の要部拡大断面図である。
【図６】変形例の保持部材の斜視図である。
【図７】変形例の保持部材の要部拡大断面図である。
【符号の説明】
【００４４】
１    発光パネル
１ａ  表面
１ｂ  裏面
１２１  陽極端子部
１４１  陰極端子部
２，２’    保持部材
２２ａ  被回動支持部
２４  挿入口
２５  係合部
２６  係止部
３    筐体
３１  凹部
３３  回動支持部
３４  被係合部
４Ａ，４Ｂ  給電部
１０  発光パネル式照明器具
【図１】
2007250302.tif 000003
【図２】
2007250302.tif 000004
【図３】
2007250302.tif 000005
【図４】
2007250302.tif 000006
【図５】
2007250302.tif 000007
【図６】
2007250302.tif 000008
【図７】
2007250302.tif 000009